(57)【要約】【課題】回転軸を低抵抗で確実に接地し、摩擦により生じる粉塵の発生や消耗品に対する予備品をなくすことができ、しかも交換作業に伴う回転機の停止を必要としない回転機の軸接地装置を提供する。【解決手段】回転機の回転軸１４に、その径方向に延出するように一体的に取り付けられた接地板１２と、内部に導電性の液体１６が収容され、この液体１６と接地板１２とが接触するように設置され、液体１６が接地されている液体槽１３とを備えた。【選択図】図１
2014138505.tif 000002
【特許請求の範囲】
【請求項１】
回転機の回転軸に、その径方向に延出するように一体的に取り付けられた接地板と、
内部に導電性の液体が収容され、この液体と前記接地板とが接触するように設置された液体槽、及び前記液体内から外部へ導出される導体と接続する端子と、
を備えたことを特徴とする回転機の軸接地装置。
【請求項２】
前記接地板は、複数枚が、前記回転軸の軸方向に間隔を保って取り付けられていることを特徴とする請求項１に記載の回転機の軸接地装置。
【請求項３】
前記複数枚の接地板は、これら接地板毎に設けられた液体槽内にて導電性液体と個別に接触し、各液体槽内の液体相互間には外部電源を接続し、これら液体相互間の導通チェックを可能としたことを特徴とする請求項２に記載の回転機の軸接地装置。
【請求項４】
前記液体槽の外部に上下動可能に設けられ、前記液体槽の底部と管路を介して連通し、前記上下動に伴う前記液体槽内との圧力差により、前記液体槽内の液体の出し入れを可能とする補助槽を有することを特徴とする請求項１乃至請求項３のいずれかに記載の回転機の軸接地装置。
【発明の詳細な説明】
【技術分野】
【０００１】
本発明の実施形態は、回転軸に溜まる電荷を接地させる回転機の軸接地装置に関する。
【背景技術】
【０００２】
一般に、電動機や発電機等の回転機には軸接地を必要とするものがある。例えば、インバータ駆動の電動機は、その駆動電源に高調波が含まれることから、固定子との間の静電容量に基づき電荷が溜まり易い。これ以外の、発電機や蒸気タービンのロータ軸にも電荷が溜まることが知られている。このように、回転機の回転軸に電荷が溜まると、軸受の電蝕等を引き起こすため、回転軸を接地して電荷を逃がす必要がある。
【０００３】
このための軸接地方法としては、回転体である軸と非回転体である炭素ブラシとを接触させ、この炭素ブラシを介して接地することで軸の電荷を逃がすものが知られている。しかし、炭素ブラシによる軸接地方法は、炭素ブラシが回転体（スリップリング）に接触しているため、ブラシとスリップリング間の接触面に抵抗値が存在するので運転環境の影響を受け、十分な信頼性がない。また、ブラシの消耗に応じ取替えが必要であり、予備品を保有する必要があると共に、炭素の磨耗による粉塵が問題であった。さらに、この炭素ブラシの取替えのために、回転機を停止する必要があった。
【０００４】
このため接地用のブラシ交換を容易にする構成が提案されている（例えば、特許文献１参照）。しかし、この提案でも、回転体との接触により接地を行うことに代りはなく、回転体との接触（摩擦）に伴う上述した問題点を有する。
【先行技術文献】
【特許文献】
【０００５】
【特許文献１】特開２００３−２５４００７号公報
【発明の概要】
【発明が解決しようとする課題】
【０００６】
このように、これまでの軸接地方法は、回転体である軸と炭素ブラシとを接触させ、炭素ブラシを接地することで軸の電荷をにがしていた。このため、炭素ブラシの消耗に応じて取替えが必要であり、予備品を保有する必要性と炭素の磨耗による粉塵の問題等があった。
【０００７】
従って、本発明は、回転軸を低抵抗で確実に接地し、摩擦により生じる粉塵の発生や摩擦に伴う消耗品の予備品をなくすことができ、しかも交換作業に伴う回転機の停止を必要としない回転機の軸接地装置を提供することを目的とする。
【課題を解決するための手段】
【０００８】
本発明の実施の形態に係る回転機の軸接地装置は、  回転機の回転軸に、その径方向に延出するように一体的に取り付けられた接地板と、内部に導電性の液体が収容され、この液体と前記接地板とが接触するように設置された液体槽、及び前記液体内から外部へ導出される導体と接続する端子とを備えたことを特徴とする。
【発明の効果】
【０００９】
本発明によれば、液体を介しての軸接地構成であるため、回転する軸が極めて低い抵抗値で接地される。また、消耗品がなくランニングコストが低減すると共に、接触時の磨耗による粉塵は発生しない。さらに、回転機の運転中でも液体を取替え可能であり、メンテナンスのために回転機を停止する必要がなくなる。
【図面の簡単な説明】
【００１０】
【図１】本発明の第一の実施形態に係る回転機の軸接地装置の断面図である。
【図２】本発明の第二の実施形態に係る回転機の軸接地装置の断面図である。
【図３】本発明の第三の実施形態に係る回転機の軸接地装置の断面図である。
【図４】本発明の第四の実施形態に係る回転機の軸接地装置の断面図である。
【図５】本発明の第五の実施形態に係る回転機の軸接地装置の断面図である。
【発明を実施するための形態】
【００１１】
以下、本発明の実施の形態について、図面を参照して詳細に説明する。
【００１２】
この発明の実施の形態は、電動機や発電機等の回転機の回転軸を接地するに際し、回転軸に設けた接地板の少なくとも一部を液体に浸し、液体を介して電荷を逃がす簡便な接地構成を採用している。
【００１３】
図１で示す第一の実施形態では、この軸接地装置１１は、接地板１２、及び液体槽１３を有する。接地板１２は円板状を成し、図示しない回転機本体の回転軸１４と一体的に連結する回転軸１２ａを有する。そして、この回転軸１２ａの外周から径方向に延出するように一体形成されている。したがって、接地板１２は、回転機の回転軸１４に、その径方向に延出するように一体的に取り付けられた構成と同義である。
【００１４】
液体槽１３は、内部に導電性の液体１６が収容されており、この液体１６に対して接地板１２の少なくとも一部が接触するように構成されている。そして、この液体１６が、液中の接地端子１７に接続する導体１８を介して接地されている。また、液体槽１３の上部には液体１６の注入用の開口２１が、底部には排出用の開口２２が設けられており、これらは、常時栓体により閉鎖されている。
【００１５】
ここで、前述した接地板１２は、少なくとも一部が常時液体１６中に浸されているので、耐錆の高い金属体、例えばステンレスなどで形成する。また、液体１６としては、導電性を有する液体であればなんでもよいが、水道水を用いれば簡便に入手できる。
【００１６】
上記構成によれば、回転機の回転軸１４に溜まった電荷は、この回転軸１４と一体的に連結した接地板１２を通して液体１６に流れ、その液中の接地端子１７及び導体１８を通して大地に流れ、回転軸１４上から逃がすことができる。このため、回転軸１４上に溜まった電荷により軸受に電蝕が生じることを有効に防止できる。
【００１７】
また、接地板１２は、その板面が、回転軸１４の径方向に延出するように一体的に取り付けられ、その少なくとも一部を液体１６に浸す構成であるため、回転軸１４の回転により液体１６から受ける機械的抵抗力は少なく、液体１６との接触による動力ロスを最小限とすることができる。
【００１８】
また、この実施の形態による液体１６を用いた軸接地装置１１は、従来の炭素ブラシのように、回転軸側との接触により摩滅することはないので、炭素ブラシの摩滅に伴う粉塵の発生がない。また、摩滅に伴う部品交換を要しないので、交換部品の用意や、交換のための手間を省ける。
【００１９】
勿論、液体１６も長期間の使用により水質が変化するので、ある期間が経過すれば液体１６の交換も必要になるが、その交換は、液体槽１３からの液体１６の排出及び注入だけであり、回転機の運転を停止させることなく容易に行うことができ、回転機の運転効率が低下することはない。
【００２０】
次に、図２で示す第二の実施の形態を説明する。この実施の形態では、接地板１２を、回転軸１４の軸方向に対して、複数枚、間隔を保って取り付けている。このように構成すると、円板状の接地板（金属体）１２を何枚も液体１６に浸すことになるので、液体１６との接触断面積が大きくなり、電導率が向上するので低抵抗を実現し、信頼性を向上させることができる。
【００２１】
次に、図３で示す第三の実施の形態を説明する。この実施の形態も、接地板１２を、回転軸１４の軸方向に対して、複数枚（１２Ａ，１２Ｂとする）、間隔を保って取り付けているが、これら複数枚の接地板１２Ａ，１２Ｂは、これら接地板毎に設けられた液体槽１３Ａ，１３Ｂ内にて導電性の液体１６Ａ，１６Ｂと個別に接触している。そして、各液体槽１３Ａ，１３Ｂ内の液体１６Ａ，１６Ｂ相互間には接続端子２３Ａ，２３Ｂを介して外部電源２４を接続し、これら液体１６Ａ，１６Ｂ相互間の導通チェックを可能とした。
【００２２】
図示しない回転機本体は、図示の液体槽１３Ａ，１３Ｂ間に位置しており、接地板の回転軸１２Ａａ，１２Ｂａは、回転機本体の両端においてその回転軸１４とそれぞれ一体的に連結している。このため、外部電源２４から一方の液体槽１３Ａ内の液体１６Ａ、一方の接地板１２Ａ及びその軸１２Ａａ、回転機本体の回転軸１４、他方の接地板軸１２Ｂａ及び接地板１２Ｂ、他方の液体槽１３Ｂ内の液体１６Ｂを経て外部電源２４に到る閉回路が形成される。したがって、液体１６Ａ，１６Ｂ相互間の導通チェックを行うことにより、接地板１２Ａ，１２Ｂと対応する液体１６Ａ，１６Ｂとの間の導通チェックが行われることとなり、回転軸１４に溜まった電荷を、確実に接地していることを常に確認することができる。
【００２３】
なお、図３では、液体槽１３Ａ，１３Ｂを別体の容器により構成していたが、図４で示す第４の実施形態のように、共通の容器２７内に仕切り２８を設けて個別の液体槽１３Ａ，１３Ｂを形成してもより、他の構成は図３と同じであり、対応する部分には同じ符号を付している。
【００２４】
このように構成しても、液体１６Ａ，１６Ｂ相互間の導通チェックを行うことにより、接地板１２Ａ，１２Ｂと対応する液体１６Ａ，１６Ｂとの間の導通チェックが行われることとなり、回転軸１４に溜まった電荷を、確実に接地していることを常に確認することができる。
【００２５】
次に、図５で示す第５の実施の形態を説明する。この実施の形態は、液体槽１３に対する液体１６の交換に関するもので、液体槽１３の外部に補助槽３０を上下動可能に設けている。この補助槽３０の底部開口３１は、液体槽１３の底部開口２２と管路３１を介して連通している。そして、補助槽３０の上下動に伴う、液体槽１３内との圧力差により、液体槽１３内の液体１６の出し入れを可能としている。
【００２６】
すなわち、液体槽１３内の液体１６を排出させる場合は、補助槽３０を図示位置より下降させることによって、液体槽１３内との圧力差により、その内部の液体１６を補助槽３０内に排出させることができる。また、液体槽１３内に液体１６を注入する場合は、補助槽３０の底面を液体槽１３の底面と同じ高さに位置させることにより、補助槽３０内の液体を、その液面レベルと等しい液面レベルまで、液体槽１３内に注入することができる。
【００２７】
このように構成したことにより、軸接地装置１１が、回転機の運転中、作業者が接近できない場所に設置されている場合であっても、補助槽３０を操作することにより、液体槽１３に接近することなく、その内部の液体１６を交換することが可能となる。すなわち、運転中でも安全にメンテナンスを実施することできる。
【００２８】
上述した各実施の形態では、接地板１２を円板状の金属体としたが、これに限らず、例えば扇形の金属体を回転軸の外周に沿って取り付けたり、複数の短冊状の金属体を回転軸の外周に沿って放射状に配置してもよい。
【００２９】
また、接地板１２は、一体の軸１２ａを介して、回転機本体の回転軸１４に一体的に連結していたが、軸１２ａを用いずに、回転軸１４の外周に直接取り付けてもよい。
【００３０】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００３１】
１１・・・軸接地装置
１２・・・接地板
１３・・・液体槽
１４・・・回転軸
１６・・・液体
１７・・・接地端子
１８・・・導体
２４・・・外部電源
３０・・・補助槽
３１・・・管路
【図１】
2014138505.tif 000003
【図２】
2014138505.tif 000004
【図３】
2014138505.tif 000005
【図４】
2014138505.tif 000006
【図５】
2014138505.tif 000007